(57)【要約】【課題】合成樹脂製の各物干し杆を折り畳み位置に確実に保持することができる物干し具を提供する。【解決手段】フック４が支持杆３の上端に設けられ、合成樹脂よりなる２０本の物干し杆２が略水平方向に向いた使用位置と支持杆３に沿う折り畳み位置とに選択可能となるように支持杆３の下端部に放射状に枢支された物干し具１において、支持杆３の上端部に、各物干し杆２を折り畳み位置で当接させて当該各物干し杆２を束ねるフランジ状部材６を設ける。フランジ状部材６とフック４との間を上下方向に摺動するキャップ状の下向きの保持具７を設け、フランジ状部材６に当接して束ねた各物干し杆２の先端部を保持具７の下向きの摺動により当該保持具７の内部に収容して各物干し杆２を折り畳み位置に保持する。そして、各物干し杆２を内部に収容した保持具７の上向きの摺動を規制手段８により規制している。【選択図】図３
2012191988.tif 000002
【特許請求の範囲】
【請求項１】
フックが支持杆の上端に設けられ、合成樹脂よりなる複数本の物干し杆が略水平方向に向いた使用位置と上記支持杆に沿う折り畳み位置とに選択可能となるように上記支持杆の下端部に放射状に枢支された物干し具であって、
上記支持杆の上端部には、上記各物干し杆を折り畳み位置において当接させた状態で束ねるフランジ状部材が設けられているとともに、このフランジ状部材と上記フックとの間を上下方向に移動し、かつ上記フランジ状部材に当接して束ねられた上記各物干し杆の端部を下向きの移動により当該保持具の内部に収容して上記各物干し杆を折り畳み位置に保持するキャップ状の下向きの保持具が設けられており、
上記保持具を下向きに移動させてその内部に上記各物干し杆の端部を収容した際に、上記保持具の上向きの移動を規制する規制手段が設けられていることを特徴とする物干し具。
【請求項２】
上記規制手段は、
上記保持具の内周面及び上記各物干し杆の反フランジ状部材側面の端部のいずれか一方に設けられた環状の凹部と、
上記保持具の内周面及び上記各物干し杆の反フランジ状部材側面の端部のいずれか他方に設けられ、上記保持具を下向きに移動させた際に上記凹部に対し係脱自在に係合する凸部と、
を備えている請求項１に記載の物干し具。
【請求項３】
上記凹部は、上記保持具の内周面に設けられ、
上記凸部は、上記各物干し杆のうちの互いに隣接する複数の物干し杆の少なくとも1つに設けられている請求項２に記載の物干し具。
【請求項４】
上記各物干し杆は、上記フランジ状部材に対し折り畳み位置において当接した際に当該各物干し杆の側面同士を接触させた状態で束ねられている請求項１〜請求項３のいずれか1つに記載の物干し具。
【発明の詳細な説明】
【技術分野】
【０００１】
本発明は、物干し竿に引っ掛けて洗濯物を干すためのパラソル式と称されている物干し具に関する。
【背景技術】
【０００２】
従来より、この種の物干し具としては、例えば、下記の特許文献１に示すように、上端にフックを設けた支持杆と、洗濯物を引っ掛けるための複数本の物干し杆とが備えられ、これら物干し杆は、支持杆の下端部に放射状に枢支されて、略水平方向に向いた使用位置と支持杆に沿う折り畳み位置とに選択可能に設けられている。また、各物干し杆の端部には当該各物干し杆に対し洗濯物を弾性的に挟持するクリップ片が設けられ、このクリップ片の遊端部を、支持杆の上端部に設けられた係合板の周縁に弾性的に係合させることによって、各物干し杆を折り畳み位置に保持している。この場合、係合板の周縁には、断面略三角形状に上方へ盛り上がる環状の突条が設けられ、クリップ片の遊端部が弾性変形して突条を乗り越えることによって係合板の周縁に係合されるようにしている。
【０００３】
ところで、このような物干し具は、各物干し杆がアルミニウム合金や合成樹脂によって成形されることがある。
その場合、各物干し杆がアルミニウム合金で成形されていると、各物干し杆が重いものとなって物干し具の重量が嵩んでしまい、洗濯物自体の重さと相俟ってフックに過度の負担がかかってしまう。一方、各物干し杆が合成樹脂によって成形されていると、物干し具の重量が軽量化され、フックへの負担も軽減されるという利点を有している。
【０００４】
しかしながら、各物干し杆が合成樹脂によって成形されているものでは、各物干し杆を折り畳み位置に保持する際、支持杆の係合板の周縁にクリップ片の遊端部を係合させ難いものとなり、これでは、各物干し杆を折り畳み位置に円滑に保持することができない。これは、合成樹脂製の物干し杆では、クリップ片の遊端部を係合板に係合させる際に物干し杆の長手方向で撓みが発生し、クリップ片の遊端部が係合板の周縁の突条を乗り越えれずに押し戻されるからである。
【０００５】
そこで、支持杆の途中位置に上下方向に移動するキャップ状の下向きの保持具を設け、各物干し杆の折り畳み位置において上記保持具を下方に移動させて当該保持具の内部に上記各物干し杆の端部を収容することで、各物干し杆を折り畳み位置に円滑に保持できるようにしたものが提案されている（特許文献２参照）。
【先行技術文献】
【特許文献】
【０００６】
【特許文献１】特開２００８−１４２３７７号公報
【特許文献２】実開平２−５１８９２号公報
【発明の概要】
【発明が解決しようとする課題】
【０００７】
ところが、上記提案のものでは、保持具を下方に移動させた際にその重力によって当該保持具の内部に各物干し杆の端部を収容しているため、物干し具を天地逆転させたり、不使用時に横置きに載置して保管しておいたりすると、保持具が逆方向（上向き）に勝手に移動してしまうおそれがあり、保持具による各物干し杆の端部の収容が確実に行えず、各物干し杆が不用意に使用位置に展開してしまうおそれがある。
【０００８】
本発明は、かかる点に鑑みてなされたものであり、その目的とするところは、各物干し杆を折り畳み位置に確実に保持することができる物干し具を提供することにある。
【課題を解決するための手段】
【０００９】
上記目的を達成するため、本発明では、フックが支持杆の上端に設けられ、合成樹脂よりなる複数本の物干し杆が略水平方向に向いた使用位置と上記支持杆に沿う折り畳み位置とに選択可能となるように上記支持杆の下端部に放射状に枢支された物干し具を前提とする。更に、上記支持杆の上端部に、上記各物干し杆を折り畳み位置において当接させた状態で束ねるフランジ状部材を設けるとともに、このフランジ状部材と上記フックとの間を上下方向に移動し、かつ上記フランジ状部材に当接して束ねられた上記各物干し杆の端部を下向きの移動により当該保持具の内部に収容して上記各物干し杆を折り畳み位置に保持するキャップ状の下向きの保持具を設ける。そして、上記保持具を下向きに移動させてその内部に上記各物干し杆の端部を収容した際に、上記保持具の上向きの移動を規制する規制手段を設けている。
【００１０】
この特定事項により、合成樹脂よりなる各物干し杆は、支持杆上端部のフランジ状部材に当接すると、側面同士が接触した状態に束ねられ、この状態で、キャップ状の保持具の下向きの移動により当該保持具の内部に端部が収容されて折り畳み位置に保持される。このため、クリップ片の遊端部を係合板に係合して折り畳み位置に保持していたもののように物干し杆が長手方向で撓むことがなく、合成樹脂製の物干し杆であっても折り畳み位置に円滑に保持されることになる。
【００１１】
その場合、保持具を下向きに移動させてその内部に各物干し杆の端部を収容した際に、保持具の上向きの移動を規制する規制手段が設けられているので、物干し具を天地逆転させたり、不使用時に横置きに載置して保管しておいたりしても、保持具が逆方向（上向き）に勝手に移動してしまうことがない。これにより、保持具の内部に端部が収容された各物干し杆が折り畳み位置から使用位置へ不用意に切り替わることが禁止され、各物干し杆を折り畳み位置に確実に保持することが可能となる。
【００１２】
また、上記規制手段に、上記保持具の内周面及び上記各物干し杆の反フランジ状部材側面の端部のいずれか一方に設けられた環状の凹部と、上記保持具の内周面及び上記各物干し杆の反フランジ状部材側面の端部のいずれか他方に設けられ、上記保持具を下向きに移動させた際に上記凹部に対し係脱自在に係合する凸部と、を設けることが好ましい。
【００１３】
この場合には、凹部と凸部との係合によって保持具の逆方向への勝手な移動が禁止され、規制手段を簡単に構成することができる。
【００１４】
また、上記凹部を、上記保持具の内周面に設け、上記凸部を、上記各物干し杆のうちの互いに隣接する各物干し杆の少なくとも１つに設けていてもよい。
【００１５】
この場合には、各物干し杆のうちの互いに隣接する各物干し杆の少なくとも１つに設けた凸部が、保持具を下向きに移動させた際にその内周面の凹部に係合して、保持具の上向きの移動を規制しているので、全ての物干し杆に凸部を設けた場合に比して凹部への係合を無理なくスムーズに行うことができる。
【００１６】
更に、上記各物干し杆を、上記フランジ状部材に対し折り畳み位置において当接した際に当該各物干し杆の側面同士を接触させた状態で束ねていることが好ましい。
【００１７】
この場合には、折り畳まれた各物干し杆の側面同士が接触しているので、折り畳み位置での各物干し杆の周方向つまり側方への動きが隣接し合う各物干し杆により規制される。このため、各物干し杆が側方へ移動するなどして規制手段が解除されるといった不具合が効果的に抑制され、保持具による各物干し杆の保持をより確実に行うことができる。
【発明の効果】
【００１８】
以上、要するに、合成樹脂よりなる各物干し杆を支持杆上端部のフランジ状部材に当接させて束ねた状態で、キャップ状の保持具の下向きの移動により当該保持具の内部に端部を収容して各物干し杆を折り畳み位置に保持し、この保持具の上向きの移動を規制手段により規制することで、保持具の内部に端部を収容した各物干し杆の折り畳み位置から使用位置へ不用意な切り替わりを禁止して、各物干し杆を折り畳み位置に確実に保持することができる。
【図面の簡単な説明】
【００１９】
【図１】本発明の実施の形態に係る物干し具の斜視図であって、各物干し杆を折り畳んで先端部が保持具により保持された状態を示している。
【図２】図１の物干し具の各物干し杆の使用状態を示す斜視図である。
【図３】図１の物干し具を上端部付近で切断した縦断側面図であって、各物干し杆の先端部が保持具により保持された状態を示している。
【図４】図３の物干し具の保持具を上方に摺動させた状態を示す縦断側面図である。
【図５】図１の物干し具の保持具を上方に摺動させた状態での斜視図である。
【発明を実施するための形態】
【００２０】
以下添付図面を参照しながら、本発明の実施の形態について説明し、本発明の理解に供する。なお、以下の実施の形態は、本発明を具体化した一例であって、本発明の技術的範囲を限定する性格のものではない。
【００２１】
図１は本発明の実施の形態に係る物干し具の各物干し杆の折り畳み状態を示す斜視図、図２は物干し具の各物干し杆の使用状態を示す斜視図である。図１及び図２において、１はパラソル式の物干し具であって、この物干し具１は、基本的には、洗濯物を引っ掛けるための複数本（実施の形態では２０本）の物干し杆２と、これら物干し杆２が支持部材５（後述する）を介して取り付けられた支持杆３と、この支持杆３の上端部に設けられたフック４と、支持杆３の下端部に取り付けられ、各物干し杆２の基端を支持杆３に対して放射状に枢支する支持部材５とを備えている。
【００２２】
物干し杆２は、支持部材５を支点にして支持杆３に対し略８５°展開して略水平方向に向いた使用位置（図２に示す位置）と支持杆３に沿う折り畳み位置（図１に示す位置）とに選択可能となっている。そして、各物干し杆２は、折り畳み位置において内側面が短くかつ外側面が長い断面略台形状に形成され、支持杆３に対して折り畳まれた状態では、互いに相隣なる支持杆３，３同士の側面が互いに接触するようになっている。
【００２３】
また、各物干し杆２は、ポリプロピレンからなり、その基端部及び先端部には、この各物干し杆２とで洗濯物を弾性的に挟持するためのクリップ片２１，２２がそれぞれ一体的に形成されている。これらのクリップ片２１，２２は、その遊端側が物干し杆２に対して離間する方向に弾性的に変形可能とされているとともに、常時はその遊端部が物干し杆２に弾接するようになっている。なお、各物干し杆２としては、ポリプロピレンに限定されず、ポリカーボネート、ポリエチレン、又はＡＢＳ樹脂などの合成樹脂が適用されていてもよい。
【００２４】
支持杆３は、各物干し杆２と同一のポリプロピレンからなり、その下端部に位置する円筒状のグリップ部３１と、このグリップ部３１の上端に連結されたロッド部３２とで構成されている。
【００２５】
フック４は、図３及び図４にも示すように、各物干し杆２と同一のポリプロピレンからなり、ガイド部材４１と、このガイド部材４１に対して所定ストローク上下動可能な可動フック部材４２と、この可動フック部材４２の上下動に連動して、可動フック部材４２の上方移動に伴い、この可動フック部材４２に対して次第近接すると共に可動フック部材４２の出入り口を閉じるロック部材４３とを備えている。
【００２６】
ガイド部材４１は、支持杆３のロッド部３２の上端から斜め上方に向けて湾曲状に伸びてから上方に真直ぐ延びる基部４１１と、この基部４１１の上端から円弧状に湾曲する湾曲部４１２とを備えている。基部４１１の湾曲部４１２側端には上下方向に延びるガイド孔４１３が設けられているとともに、湾曲部４１２の遊端にも上下方向に延びるガイド孔４１４が設けられている。
【００２７】
可動フック部材４２は、ガイド部材４１とほぼ同一の曲率で円弧状に湾曲する湾曲部４２１を有している。また、可動フック部材４２は、ガイド部材４１を両側方（図３及び図４では紙面手前方向及び奥方向）から挟み込むように対向しており、その湾曲部４２１の半径方向内方端において一体的に連結されて当該湾曲部４２１付近が断面略コ字状に形成されている。
【００２８】
可動フック部材４２の長手方向両端部には、ガイド部材４１のガイド孔４１３，４１４にそれぞれ摺動自在に挿通されたガイドピン４２２，４２２が取り付けられ、これによって、ガイド孔４１３，４１４に沿って可動フック部材４２がガイド部材４１に対して所定ストローク上下動するようになっている。そして、可動フック部材４２が最大限上昇すると、可動フック部材４１の湾曲部４２１がガイド部材４１の湾曲部４１２にほぼ重なるようになっている。
【００２９】
ロック部材４３は、ガイド部材４１を両側方（図３及び図４では紙面手前方向及び奥方向）から挟み込むように対向しており、その一端（図３及び図４では左端）において一体的に連結されている。このロック部材４３の他端（図３及び図４では右端）は、ガイド部材４１の基部４１１の湾曲部４１２側端に枢軸４３１を介して支持され、この枢軸４３１を支点にして遊端側となる一端が上下方向へ揺動自在となっている。
【００３０】
また、ロック部材４３は、枢軸４３１の近くに形成された長孔４３２を有している。この長孔４３２には、ガイド部材４１のガイド孔４１３に挿通されるガイドピン４２２が介装されている。このように、ガイドピン４２２がロック部材４３の長孔４３２に介装されることで、ロック部材４３がガイドピン４２２を介して可動側フック部材４２の長手方向一端（図３及び図４では右側端）に連結されている。このとき、可動フック部材４２がガイド部材４１に対して上昇すると、これに伴って、可動フック部材４２の出入り口４０を閉じながら、ロック部材４３の一端側が可動フック部材４２の湾曲部４２１に順次近づく。一方、可動フック部材４２がガイド部材４１に対して下降すると、これに伴って、可動フック部材４２の出入り口４０を開きながら、ロック部材４３の一端側が可動フック部材４２の湾曲部４２１から順次遠ざかる。
【００３１】
また、ロック部材４３には、押さえ体４３３が支持軸４３４を介して所定角度揺動可能に支持されている。この押さえ体４３３の上面は、湾曲状に窪んでいる。そして、可動フック部４２及びこの可動フック部材４２に連動するロック部材４３は、常時はその自重により、ガイド部材４１に対して降下し、可動フック部材４２の出入り口４０が開放されている。
【００３２】
支持部材５は、支持杆３のロッド部３２の下端に設けられ、互いに上下に間隔を隔てて対向する略円形状の挟持部材５１及び受け部材（図示せず）を備えている。挟持部材５１と受け部材との間には、金属製のリング部材５３が設けられている。このリング部材５３には、各物干し杆２の基端部に一体成型された正面視略ドーナツ状の連結環２３が揺動自在に支持されている。また、各物干し杆２の連結環２３は、挟持部材５１及び受け部材の間に遊嵌状態で挟持され、各物干し杆２の使用位置と折り畳み位置との間での揺動を可能にしている。この場合、各物干し杆２の連結環２３には、その外方からリング部材６を連結環２１内に挿通するための切り欠き通路（図示せず）が設けられている。
【００３３】
また、受け部材には、連結環２３の長さ方向外方に突出する突片２４を嵌合可能とするスリット状の長孔からなるガイド部（図示せず）が形成されている。そして、ガイド部に沿って突片２４を案内させることで、互いに相隣なる物干し杆２同士の間隔を保ちつつ各物干し杆２を揺動させるようにしている。また、各物干し杆２は、ガイド部に沿って突片２４を案内させることで、折り畳み位置において当該各物干し杆の側面同士が接触した状態となる。この場合、支持部材５には、各物干し杆２を支持杆３に対してほぼ８５度展開した使用位置で受け止めるための受け止め筒５５が設けられている。
【００３４】
そして、支持杆３のロッド部３２の上端部には、各物干し杆２の先端を折り畳み位置において縁部に当接させて当該各物干し杆２の側面同士を接触させた状態に束ねる略円板状のフランジ状部材６が固設されている。また、支持杆３のロッド部３２の上端部には、フランジ状部材６とフック４との間を上下方向に摺動（移動）するキャップ状の下向きの保持具７が設けられている。そして、フランジ状部材６に当接して束ねられた各物干し杆２の先端部を保持具７の下向きの摺動により当該保持具７の内部に収容して各物干し杆２を折り畳み位置に保持するようにしている。
【００３５】
保持具７は、フランジ状部材６とフック４との間における支持杆３のロッド部３２の上端部に挿通される挿通孔７０を中心部に有する内筒部７１と、この内筒部７１の上端より半径方向外方に拡径された拡径部７２と、この拡径部７２の外端より下方に向かって延びる外筒部７３とを備えている。この場合、挿通孔７０は略矩形状に形成され、その短辺がロッド部３２の幅と略一致している。また、保持具７は、各物干し杆２の使用位置において内周部７１の下端がフランジ状部材６に当接することで、それ以上下向きの摺動を規制している。
【００３６】
また、保持具７の外筒部７３には、保持具７を下向きに摺動させてその内部に各物干し杆２の先端部を収容した際に、上記保持具の上向きの摺動を規制する規制手段８が設けられている。この規制手段８は、保持具７の外筒部７３の内周面に設けられた環状の凹部としての溝部８１と、各物干し杆２のうちの互いに隣接する２つの物干し杆２の１つに設けられ、保持具７を下向きに摺動させた際に溝部８１に対し係脱自在に係合する凸部としての突起８２と、を備えている。この突起８２は、図５にも示すように、各物干し杆２の外側面の先端部側において当該各物干し杆２の長手方向と直交する幅方向に直線状に延びている。
【００３７】
したがって、上記実施の形態では、各物干し杆２は、支持杆３の上端部のフランジ状部材６に当接すると、側面同士が接触した状態に束ねられ、この状態で、キャップ状の保持具７の下向きの摺動により当該保持具７の内部に先端部が収容されて折り畳み位置に保持される。このため、クリップ片の遊端部を係合板に係合して折り畳み位置に保持していたもののように各物干し杆２が長手方向で撓むことがなく、合成樹脂製の物干し杆２であっても折り畳み位置に円滑に保持される。
【００３８】
その場合、保持具７を下向きに摺動させてその内部に各物干し杆２の先端部を収容した際に、保持具７の上向きの摺動を規制する規制手段８が設けられているので、保持具７の内部に先端部が収容された各物干し杆２が折り畳み位置から使用位置へ不用意に切り替わることを禁止して、各物干し杆２を折り畳み位置に円滑に保持することができる。
【００３９】
しかも、規制手段８を、保持具７の外筒部７３内周面の溝部８１と物干し杆２の外側面の突起８２とにより構成し、各物干し杆２の突起８２が、保持具７を下向きに摺動させた際に溝部８１に対し係脱自在に係合して、保持具７の上向きの摺動を規制しているので、保持具７の外筒部７３内周面の溝部８１と物干し杆２の突起８２とによって規制手段８を簡単に構成することができる。
【００４０】
また、各物干し杆２の突起８２が、互いに隣接する２つの物干し杆２のうちの１つに設けられているので、全ての物干し杆に突起を設けた場合に比して溝部８１への係合を無理なくスムーズに行うことができる。
【００４１】
更に、各物干し杆２が、フランジ状部材６に対し折り畳み位置において当接した際に当該各物干し杆２の側面同士が接触した状態で束ねられているので、折り畳み位置での各物干し杆２の周方向つまり側方への動きが隣接し合う各物干し杆２により規制される。このため、各物干し杆２が側方へ移動するなどして規制手段８が解除されるといった不具合が効果的に抑制され、保持具７による各物干し杆２の保持をより確実に行うことができる。
【００４２】
なお、本発明は、上記実施の形態に限定されるものではなく、その他種々の変形例を包含している。例えば、上記実施の形態では、規制手段８を、保持具７の外筒部７３内周面の溝部８１と物干し杆２の突起８２とにより構成したが、挿通孔の短辺に対応する支持杆のロッド部に突起を設け、保持具を下向きに摺動させた際にロッド部の突起を挿通孔が乗り越えることで突起に対し挿通孔が係脱自在に係合して保持具の上向きの摺動を規制する規制手段が構成されていてもよい。
【００４３】
また、規制手段８が、物干し杆２の反フランジ状部材６側面の端部に設けられた環状の凹部としての溝部と、保持具の外筒部内周面に設けられ、上記溝部に係合する凸部としての突起とにより構成されていてもよい。
【００４４】
更に、上記実施の形態では、突起８２を各物干し杆２のうちの互いに隣接する２つの物干し杆２の１つに設けたが、各物干し杆のうちの隣接する３本以上の物干し杆の少なくとも1つに突起が設けられていたり、全ての物干し杆にそれぞれ突起が設けられていてもよい。
【符号の説明】
【００４５】
１        物干し具
２        物干し杆
３        支持杆
４        フック
５        支持部材
６        フランジ状部材
７        保持具
８        規制手段
８１      溝部
８２      突起
【図１】
2012191988.tif 000003
【図２】
2012191988.tif 000004
【図３】
2012191988.tif 000005
【図４】
2012191988.tif 000006
【図５】
2012191988.tif 000007